(57)【要約】【課題】上下区画壁の内部構造に拘わらず、従来より確実に円形除去建材の落下を防止することができる建造物穿孔装置及び建造物穿孔工法の提供を目的とする。【解決手段】本発明に係る建造物穿孔装置１０は、回転出力軸２２に円筒形カッタ３０と吊下部材４０が取り付けられ、吊下部材４０の下端部には、水平姿勢と起立姿勢に回動可能な下端係止部材６０が備えられている。そして、吊下部材４０の長さは、起立姿勢における下端係止部材６０の上端が円筒形カッタ３０の下端より下方に位置するように設定されている。【選択図】図１２
2011099300.tif 000002
【特許請求の範囲】
【請求項１】
建造物のうち空間を上下に仕切る上下区画壁に対して上方から円筒形カッタを回転駆動させながら降下し、前記上下区画壁に円環状スリットを切削することで、その円環状スリットの内側の円形除去建材を前記上下区画壁から切り離して階層間貫通孔を形成すると共に、前記円筒形カッタ内の上端面の中心部から垂下した吊下部材にて前記円形除去建材を保持して落下を防止可能な建造物穿孔装置において、
前記吊下部材の下端部に回動可能に連結されて、前記吊下部材から側方に張り出した張出状態と、その張出状態より側方への張り出し量が小さい待機状態とに変化可能な下端係止部材を設け、前記待機状態か前記張出状態かに拘わらず前記下端係止部材のうち最も上方に位置した最上部が前記円筒形カッタの下端より下方に配置されるように前記吊下部材の長さを設定したことを特徴とする建造物穿孔装置。
【請求項２】
前記吊下部材の上下方向における中間位置には、その中間位置より上側部分と下側部分とを互いに回転可能に連結する回転許容関節部が設けられたことを特徴とする請求項１に記載の建造物穿孔装置。
【請求項３】
前記円筒形カッタは、円筒壁の上端部から内側に張り出したカッタ上端壁の中心部に、上下方向に貫通した取付用雌螺子孔を設けた構造をなし、
前記円筒形カッタの回転駆動源は、前記取付用雌螺子孔に螺合結合される回転雄螺子シャフトを垂下して備え、
前記回転雄螺子シャフトの長手方向の途中に設けたカッタ位置決め段差部に、前記前記取付用雌螺子孔の上端開口縁を突き当てて、前記円筒形カッタを前記回転雄螺子シャフトに回り止めすると共に、前記回転雄螺子シャフトの一部を前記カッタ上端壁から垂下した状態とし、
前記吊下部材は、前記円筒形カッタ内で前記回転雄螺子シャフトに螺合装着されて上下方向に延びていることを特徴とする請求項１又は２に記載の建造物穿孔装置。
【請求項４】
建造物のうち空間を上下に仕切る上下区画壁に対して上方から円筒形カッタを回転駆動させながら降下し、前記上下区画壁に円環状スリットを切削することで、その円環状スリットの内側の円形除去建材を前記上下区画壁から切り離して階層間貫通孔を形成すると共に、吊下部材にて前記円形除去建材を保持して落下を防止可能な建造物穿孔装置において、
前記建造物穿孔装置のうち前記円筒形カッタを含む回転駆動部の回転中心を上下方向に貫通し、内側に前記吊下部材が挿通された吊下部材挿通孔と、
前記吊下部材挿通孔の上方で前記吊下部材の上端部を支持すると共に前記建造物に固定可能な吊下支持ベースと、
前記吊下部材の下端部に回動可能に連結されて、前記吊下部材から側方に張り出した張出状態と、その張出状態より側方への張り出し量が小さい待機状態とに変化可能な下端係止部材と、
前記吊下部材の垂下長さを調整するための長さ調整機構とを備えたことを特徴とする建造物穿孔装置。
【請求項５】
前記下端係止部材は、前記張出状態で水平方向に延び、その長手方向の中心部が前記吊下部材の下端部に回動可能に連結されたことを特徴とする請求項１乃至４の何れか１の請求項に記載の建造物穿孔装置。
【請求項６】
前記下端係止部材の回動中心に配置された回動支持軸と、
前記吊下部材の下端部に設けられて、前記回動支持軸の両端部を支持すると共に前記下端係止部材を挟んで対向した１対の対向支持部と、
前記下端係止部材の両端部から前記回動支持軸の軸方向と略平行な方向に突出し、前記下端係止部材が前記待機状態で前記対向支持部と干渉して、前記下端係止部材の前記待機状態からの回動方向を一方向に限定する回動規制突起と、
前記下端係止部材のうち前記張出状態で上方を向く面に形成された滑止用凹凸部とを備えたことを特徴とする請求項５に記載の建造物穿孔装置。
【請求項７】
前記待機状態になっている前記下端係止部材を、前記張出状態に付勢する付勢手段を備えたことを特徴とする請求項１乃至６の何れか１の請求項に記載の建造物穿孔装置。
【請求項８】
建造物のうち空間を上下に仕切る上下区画壁に対して上方から円筒形カッタを回転駆動させながら降下し、前記上下区画壁に円環状スリットを切削することで、その円環状スリットの内側の円形除去建材を前記上下区画壁から切り離して階層間貫通孔を形成すると共に、前記円筒形カッタ内の上端面の中心部から垂下した吊下部材にて前記円形除去建材を保持して落下を防止する建造物穿孔工法において、
前記吊下部材の下端部に回動可能に連結されて、前記吊下部材から側方に張り出した張出状態と、その張出状態より側方への張り出し量が小さい待機状態とに変化可能な下端係止部材を設けておき、
前記上下区画壁のうち前記円環状スリットを切削する部分の中心に予め吊下孔を貫通形成し、
前記円筒形カッタによる前記円環状スリットの切削開始時に、前記待機状態にした前記下端係止部材の全部又は一部を前記吊下孔内に配置して、その吊下孔の内面との干渉により前記下端係止部材を前記待機状態に保持し、
前記円形除去建材が前記上下区画壁から切り離される前に、前記下端係止部材全体を前記吊下孔の下方に出現させてから前記下端係止部材を前記待機状態から前記張出状態に変化させて、前記吊下孔の下端開口縁に係止可能な状態にすることを特徴とする建造物穿孔工法。
【請求項９】
建造物のうち空間を上下に仕切る上下区画壁に対して上方から円筒形カッタを回転駆動させながら降下し、前記上下区画壁に円環状スリットを切削することで、その円環状スリットの内側の円形除去建材を前記上下区画壁から切り離して階層間貫通孔を形成すると共に、吊下部材にて前記円形除去建材を保持して落下を防止する建造物穿孔工法において、
前記円筒形カッタを含む回転駆動部の回転中心を上下方向に貫通した吊下部材挿通孔を設けておき、
前記上下区画壁のうち前記円環状スリットを切削する部分の中心に予め吊下孔を貫通形成し、
前記建造物に固定された吊下支持ベースにて、前記吊下部材挿通孔の上方で前記吊下部材を支持して、その吊下部材を前記吊下部材挿通孔及び前記吊下孔に挿通すると共に、前記吊下部材の下端部に備えた下端係止部材を前記円形除去建材の下面に係止させた後で、前記円形除去建材を前記上下区画壁から切り離すことを特徴とする建造物穿孔工法。
【請求項１０】
前記円筒形カッタの回転駆動源を支持する架台を前記上下区画壁に上下動不能かつ回転不能に固定しておき、
前記回転駆動源の回転出力部に着脱可能に取り付けた事前穿孔用円筒カッタにて、前記上下区画壁の下端寄り位置まで前記円環状スリットより小径の小形円環溝を形成し、
前記上下区画壁のうち前記小形円環溝に囲まれた小形円柱体の上端部に横向きの負荷を付与して下端部から折り、前記小形円環溝に挿入したフックにて前記小形円柱体を上方に抜き出し、
前記上下区画壁のうち前記小形円柱体の下方に残った残存壁を打ち抜いて前記吊下孔を穿孔し、
前記事前穿孔用円筒カッタを前記円筒形カッタに取り替えて前記円環状スリットを切削することを特徴とする請求項８又は９に記載の建造物穿孔工法。
【請求項１１】
建造物のうち空間を上下に仕切る上下区画壁に円筒形カッタを上方から押しつけて階層間貫通孔を形成する建造物穿孔装置に着脱可能に取り付けられ、前記円筒形カッタによって前記上下区画壁から切り取られる円形除去建材の落下を防止する吊下アタッチメントであって、
前記円筒形カッタ内の上端面の中心部に着脱可能に取り付けられて垂下した状態になる吊下部材と、
前記吊下部材の下端部に回動可能に連結されて、側方に張り出した張出状態と、その張出状態より側方への張り出し量が小さい待機状態とに変化可能な下端係止部材とを備えてなることを特徴とする吊下アタッチメント。
【発明の詳細な説明】
【技術分野】
【０００１】
本発明は、建造物のうち空間を上下に仕切る上下区画壁に対して上方から円筒形カッタを回転駆動させながら降下し、上下区画壁から円形除去建材を切り離すと共に、吊下部材にて円形除去建材を保持して落下を防止可能な建造物穿孔装置、それに用いる吊下アタッチメント、及び建造物穿孔工法に関する。
【背景技術】
【０００２】
工場、ビル等の建造物における１階から２階へとダクト、パイプ及びケーブル等を取り廻す場合、２階の床面に円筒形カッタを押し付けて１，２階間の上下区画壁に円環状スリットを形成し、その円環状スリットの内側の円形除去建材を除去して、階層間貫通孔を穿孔していた。ここで、上記工事によって発生する比較的小さい上下区画壁の切削片や破片は、１階に落下しても容易に清掃することができるし、受け皿で受け止めることもできる。ところが、円環状スリットの内側の塊（円形除去建材）となると、上記破片等に比べて落下時の衝撃が大きくなるため、受け皿で受け止めることが困難であり、１階の床面を凹ませたり、１階の床面に衝突して広範囲に破片が飛散し、清掃作業に手間がかかるという問題が生じ得た。これに対し、従来の建造物穿孔装置は、円筒形カッタ内の上端面の中心部から垂下した吊下部材の下端部にアンカーを備え、そのアンカーを上下区画壁のうち円形除去建材となる部分に固定してその円形除去建材の落下防止を図っていた（例えば、特許文献１参照）。
【先行技術文献】
【特許文献】
【０００３】
【特許文献１】ＷＯ９８／５６５５２号公報（第１図、第８頁９〜１４行目）
【発明の概要】
【発明が解決しようとする課題】
【０００４】
ところで、アンカーは上下区画壁に穿孔された凹部内で下端部を側方に広げて上下区画壁に固定される。このため、上記した従来の建造物穿孔装置では、アンカーの下端部が、上下区画壁に埋設された鉄筋に当接して側方に広がらず、円形除去建材がアンカーから抜け落ちる事態が生じ得た。また、上下区画壁が、中間に防水層を有した積層構造になっている場合、その防水層より上側部分のみがアンカーにて保持され、下側部分が１階へと落下する事態も生じ得た。つまり、上下区画壁の内部構造によっては、円形除去建材の落下防止を十分に果たせない場合が起こり得た。
【０００５】
本発明は、上記事情に鑑みてなされたもので、上下区画壁の内部構造に拘わらず、従来より確実に円形除去建材の落下を防止することが可能な建造物穿孔装置及び建造物穿孔工法の提供を目的とする。
【課題を解決するための手段】
【０００６】
上記目的を達成するためになされた請求項１の発明に係る建造物穿孔装置は、建造物のうち空間を上下に仕切る上下区画壁に対して上方から円筒形カッタを回転駆動させながら降下し、上下区画壁に円環状スリットを切削することで、その円環状スリットの内側の円形除去建材を上下区画壁から切り離して階層間貫通孔を形成すると共に、円筒形カッタ内の上端面の中心部から垂下した吊下部材にて円形除去建材を保持して落下を防止可能な建造物穿孔装置において、吊下部材の下端部に回動可能に連結されて、吊下部材から側方に張り出した張出状態と、その張出状態より側方への張り出し量が小さい待機状態とに変化可能な下端係止部材を設け、待機状態か張出状態かに拘わらず下端係止部材のうち最も上方に位置した最上部が円筒形カッタの下端より下方に配置されるように吊下部材の長さを設定したところに特徴を有する。
【０００７】
請求項２の発明は、請求項１に記載の建造物穿孔装置において、吊下部材の上下方向における中間位置には、その中間位置より上側部分と下側部分とを互いに回転可能に連結する回転許容関節部が設けられたところに特徴を有する。
【０００８】
請求項３の発明は、請求項１又は２に記載の建造物穿孔装置において、円筒形カッタは、円筒壁の上端部から内側に張り出したカッタ上端壁の中心部に、上下方向に貫通した取付用雌螺子孔を設けた構造をなし、円筒形カッタの回転駆動源は、取付用雌螺子孔に螺合結合される回転雄螺子シャフトを垂下して備え、回転雄螺子シャフトの長手方向の途中に設けたカッタ位置決め段差部に、取付用雌螺子孔の上端開口縁を突き当てて、円筒形カッタを回転雄螺子シャフトに回り止めすると共に、回転雄螺子シャフトの一部をカッタ上端壁から垂下した状態とし、吊下部材は、円筒形カッタ内で回転雄螺子シャフトに螺合装着されて上下方向に延びているところに特徴を有する。
【０００９】
請求項４の発明に係る建造物穿孔装置は、建造物のうち空間を上下に仕切る上下区画壁に対して上方から円筒形カッタを回転駆動させながら降下し、上下区画壁に円環状スリットを切削することで、その円環状スリットの内側の円形除去建材を上下区画壁から切り離して階層間貫通孔を形成すると共に、吊下部材にて円形除去建材を保持して落下を防止可能な建造物穿孔装置において、建造物穿孔装置のうち円筒形カッタを含む回転駆動部の回転中心を上下方向に貫通し、内側に吊下部材が挿通された吊下部材挿通孔と、吊下部材挿通孔の上方で吊下部材の上端部を支持すると共に建造物に固定可能な吊下支持ベースと、吊下部材の下端部に回動可能に連結されて、吊下部材から側方に張り出した張出状態と、その張出状態より側方への張り出し量が小さい待機状態とに変化可能な下端係止部材と、吊下部材の垂下長さを調整するための長さ調整機構とを備えたところに特徴を有する。
【００１０】
請求項５の発明は、請求項１乃至４の何れか１の請求項に記載の建造物穿孔装置において、下端係止部材は、張出状態で水平方向に延び、その長手方向の中心部が記吊下部材の下端部に回動可能に連結されたところに特徴を有する。
【００１１】
請求項６の発明は、請求項５に記載の建造物穿孔装置において、下端係止部材の回動中心に配置された回動支持軸と、吊下部材の下端部に設けられて、回動支持軸の両端部を支持すると共に下端係止部材を挟んで対向した１対の対向支持部と、下端係止部材の両端部から回動支持軸の軸方向と略平行な方向に突出し、下端係止部材が待機状態で対向支持部と干渉して、下端係止部材の待機状態からの回動方向を一方向に限定する回動規制突起と、下端係止部材のうち張出状態で上方を向く面に形成された滑止用凹凸部とを備えたところに特徴を有する。
【００１２】
請求項７の発明は、請求項１乃至６の何れか１の請求項に記載の建造物穿孔装置において、待機状態になっている下端係止部材を、張出状態に付勢する付勢手段を備えたところに特徴を有する。
【００１３】
請求項８の発明に係る建造物穿孔工法は、建造物のうち空間を上下に仕切る上下区画壁に対して上方から円筒形カッタを回転駆動させながら降下し、上下区画壁に円環状スリットを切削することで、その円環状スリットの内側の円形除去建材を上下区画壁から切り離して階層間貫通孔を形成すると共に、円筒形カッタ内の上端面の中心部から垂下した吊下部材にて円形除去建材を保持して落下を防止する建造物穿孔工法において、吊下部材の下端部に回動可能に連結されて、吊下部材から側方に張り出した張出状態と、その張出状態より側方への張り出し量が小さい待機状態とに変化可能な下端係止部材を設けておき、上下区画壁のうち円環状スリットを切削する部分の中心に予め吊下孔を貫通形成し、円筒形カッタによる円環状スリットの切削開始時に、待機状態にした下端係止部材の全部又は一部を吊下孔内に配置して、その吊下孔の内面との干渉により下端係止部材を待機状態に保持し、円筒形カッタにて円形除去建材が上下区画壁から切り離される前に、下端係止部材全体を吊下孔の下方に出現させてから下端係止部材を待機状態から張出状態に変化させて、吊下孔の下端開口縁に係止可能な状態にするところに特徴を有する。
【００１４】
請求項９の発明に係る建造物穿孔工法は、建造物のうち空間を上下に仕切る上下区画壁に対して上方から円筒形カッタを回転駆動させながら降下し、上下区画壁に円環状スリットを切削することで、その円環状スリットの内側の円形除去建材を上下区画壁から切り離して階層間貫通孔を形成すると共に、吊下部材にて円形除去建材を保持して落下を防止する建造物穿孔工法において、円筒形カッタを含む回転駆動部の回転中心を上下方向に貫通した吊下部材挿通孔を設けておき、上下区画壁のうち円環状スリットを切削する部分の中心に予め吊下孔を貫通形成し、建造物に固定された吊下支持ベースにて、吊下部材挿通孔の上方で吊下部材を支持して、その吊下部材を吊下部材挿通孔及び吊下孔に挿通すると共に、吊下部材の下端部に備えた下端係止部材を円形除去建材の下面に係止させた後で、円形除去建材を上下区画壁から切り離すところに特徴を有する。
【００１５】
請求項１０の発明は、請求項８又は９に記載の建造物穿孔工法において、円筒形カッタの回転駆動源を支持する架台を上下区画壁に上下動不能かつ回転不能に固定しておき、回転駆動源の回転出力部に着脱可能に取り付けた事前穿孔用円筒カッタにて、上下区画壁の下端寄り位置まで円環状スリットより小径の小形円環溝を形成し、上下区画壁のうち小形円環溝に囲まれた小形円柱体の上端部に横向きの負荷を付与して下端部から折り、小形円環溝に挿入したフックにて小形円柱体を上方に抜き出し、上下区画壁のうち小形円柱体の下方に残った残存壁を打ち抜いて吊下孔を穿孔し、事前穿孔用円筒カッタを円筒形カッタに取り替えて円環状スリットを切削するところに特徴を有する。
【００１６】
請求項１１の発明に係る吊下アタッチメントは、建造物のうち空間を上下に仕切る上下区画壁に円筒形カッタを上方から押しつけて階層間貫通孔を形成する建造物穿孔装置に着脱可能に取り付けられ、円筒形カッタによって上下区画壁から切り取られる円形除去建材の落下を防止する吊下アタッチメントであって、円筒形カッタ内の上端面の中心部に着脱可能に取り付けられて垂下した状態になる吊下部材と、吊下部材の下端部に回動可能に連結されて、側方に張り出した張出状態と、その張出状態より側方への張り出し量が小さい待機状態とに変化可能な下端係止部材とを備えてなるところに特徴を有する。
【発明の効果】
【００１７】
［請求項１の発明］
請求項１の建造物穿孔装置によって上下区画壁に階層間貫通孔を穿孔する場合には、その上下区画壁に予め吊下孔を貫通形成しておき、その吊下孔を中心にして円筒形カッタにて上下区画壁に円環状スリットを切削して行けばよい。すると、円筒形カッタの下端部が上下区画壁内を下方に移動するに従って、即ち、円環状スリットが深まるに従って、円筒形カッタの中心部から垂下した吊下部材が吊下孔内を下方に進む。そして、円筒形カッタの下端部が上下区画壁の下面寄り位置に到ったところで、吊下部材の下端部が吊下孔の下方に出現する。ここで、吊下部材の下端部には、下端係止部材が回動可能に連結され、その下端係止部材は、吊下部材から側方に張り出した張出状態と、その張出状態より側方への張り出し量が小さい待機状態とに変化可能になっている。また、待機状態か張出状態かに拘わらず下端係止部材のうち最も上方に位置した最上部が円筒形カッタの下端より下方に配置されるように吊下部材の長さが設定されている。これらにより、円筒形カッタの下端部が上下区画壁の下面寄り位置に到ったところで、下端係止部材全体が吊下孔の下方に出現し、その下端係止部材を待機状態から張出状態に変化させて、下端係止部材が円環状スリットの内側の円形除去建材を下方で待ち構えた状態にすることができる。そして、円形除去建材が円筒形カッタによって上下区画壁から切り離されたときに、その円形除去建材が下端係止部材にて下方から支持されて落下が防止される。このように、本発明の建造物穿孔装置では、円形除去建材を下端係止部材にて下方から支持するので、上下区画壁の内部構造に拘わらず、従来より確実に円形除去建材の落下を防止することが可能になる。
【００１８】
［請求項２の発明］
請求項２の建造物穿孔装置によれば、吊下部材に備えた回転許容関節部によって、吊下部材の下端部の下端係止部材が、円筒形カッタと一体回転することが防がれる。これにより、下端係止部材が回転して吊下孔の内面と衝突し、破損するような事態を防ぐことができる。
【００１９】
［請求項３の発明］
請求項３の建造物穿孔装置によれば、円筒形カッタは、円筒壁の上端部から内側に張り出したカッタ上端壁の中心部に、上下方向に貫通した取付用雌螺子孔を設けた構造をなし、円筒形カッタの回転駆動源は、取付用雌螺子孔に螺合結合される回転雄螺子シャフトを垂下して備え、回転雄螺子シャフトの長手方向の途中に設けたカッタ位置決め段差部に、取付用雌螺子孔の上端開口縁を突き当てて、円筒形カッタを回転雄螺子シャフトに回り止めすると共に、回転雄螺子シャフトの一部がカッタ上端壁から垂下した状態となる。従来の建造物穿孔装置が存在する場合には、円筒形カッタ内で回転雄螺子シャフトに吊下部材を螺合装着することで、従来の建造物穿孔装置を本発明に係る建造物穿孔装置に容易に変更することができる。
【００２０】
［請求項４の発明］
請求項４の建造物穿孔装置によって上下区画壁に階層間貫通孔を穿孔する場合には、その上下区画壁に予め吊下孔を貫通形成しておき、その吊下孔と、円筒形カッタの回転中心に配置さえた吊下部材挿通孔とに吊下部材を挿通し、吊下部材の上端部を吊下支持ベースに固定する一方、吊下部材の下端部に備えた下端係止部材を円形除去建材の下面に係止させた状態にしておく。そして、円筒形カッタにて上下区画壁に円環状スリットを切削していくと、円形除去建材が上下区画壁から切り離され、円形除去建材が下端係止部材にて下方から支持されて落下が防止される。このように、本発明の建造物穿孔装置では、円形除去建材を下端係止部材にて下方から支持するので、上下区画壁の内部構造に拘わらず、従来より確実に円形除去建材の落下を防止することが可能になる。
【００２１】
［請求項５，６の発明］
下端係止部材を、その下端部を中心に回動し、起立して待機状態となる一方、倒れて張出状態になる構造にして吊下部材の下端部に複数設けてもよいし、請求項５の発明のように、下端係止部材は、張出状態で水平方向に延び、その長手方向の中心部を吊下部材の下端部に回動可能に連結した構造にしてもよい。この請求項５の発明によれば、下端係止部材の構造の簡素化が図られる。請求項５の構成とした場合、請求項６の発明によれば、下端係止部材が待機状態から回動する方向が一方向に限定され、常に、下端係止部材のうち滑止用凹凸部を備えた面を円形除去建材に当接させることができる。そして、滑止用凹凸部を円形除去建材に食い込ませて、円形除去建材を安定させることが可能になる。
【００２２】
［請求項７の発明］
請求項７の建造物穿孔装置によれば、円筒形カッタの下端部が上下区画壁の下面寄り位置に到ったところで、下端係止部材全体が吊下孔の下方に出現し、その下端係止部材が付勢手段の付勢によって自動的に待機状態から張出状態に変化する。
【００２３】
［請求項８の発明］
請求項８の建造物穿孔工法では、上下区画壁に予め吊下孔を貫通形成しておき、その吊下孔を中心にして円筒形カッタにて上下区画壁に円環状スリットを切削して行く。すると、円筒形カッタの下端部が上下区画壁内を下方に移動するに従って、円筒形カッタの中心部から垂下した吊下部材が吊下孔内を下方に進む。そして、円筒形カッタの下端部が上下区画壁の下面寄り位置に到ったところで、吊下部材の下端部に備えた下端係止部材が吊下孔の下方に出現するので、下端係止部材を待機状態から張出状態に変化させて、下端係止部材が円環状スリットの内側の円形除去建材を下方で待ち構えた状態にすることができる。そして、円形除去建材が円筒形カッタによって上下区画壁から切り離されたときに、その円形除去建材が下端係止部材にて下方から支持されて落下が防止される。このように、本発明の建造物穿孔装置では、円形除去建材を下端係止部材にて下方から支持するので、上下区画壁の内部構造に拘わらず、従来より確実に円形除去建材の落下を防止することが可能になる。
【００２４】
［請求項９の発明］
請求項９の建造物穿孔工法では、建造物穿孔装置のうち円筒形カッタを含む回転駆動部の回転中心を上下方向に貫通した吊下部材挿通孔を設けておき、上下区画壁のうち円環状スリットを切削する部分の中心に予め吊下孔を貫通形成し、建造物に固定された吊下支持ベースにて、吊下部材挿通孔の上方で吊下部材を支持して、その吊下部材を吊下部材挿通孔及び吊下孔に挿通すると共に、吊下部材の下端部に備えた下端係止部材を円形除去建材の下面に係止させた後で、円形除去建材を上下区画壁から切り離す。このように、本発明の建造物穿孔装置では、円形除去建材を下端係止部材にて下方から支持するので、上下区画壁の内部構造に拘わらず、従来より確実に円形除去建材の落下を防止することが可能になる。
【００２５】
［請求項１０の発明］
請求項１０の建造物穿孔工法によれば、事前穿孔用円筒カッタと円筒形カッタと同じ回転駆動源に交換して取り付けて使用するので、回転駆動源の有効利用が図られる。また、事前穿孔用円筒カッタにて上下区画壁に小形円環溝を形成し、その小形円環溝に囲まれた小形円柱体の上端部に横向きの負荷を付与して下端部から折り、小形円環溝に挿入したフックにて小形円柱体を上方に抜き出してから、上下区画壁のうち小形円柱体の下方に残った残存壁を打ち抜いて吊下孔を穿孔するので、小形円柱体が上下区画壁の下方に落下することもない。
【００２６】
［請求項１１の発明］
請求項１１の構成によれば、待機状態か張出状態かに拘わらず下端係止部材のうち最も上方に位置した最上部が円筒形カッタの下端より下方に配置されるように吊下部材の長さを設定することで、従来の建造物穿孔装置を請求項１に記載の建造物穿孔装置に容易に変更することができる。なお、吊下部材の長さは、長さ調整機構によって調整可能であってもよいし、一定の長さに固定されていてもよい。
【図面の簡単な説明】
【００２７】
【図１】本発明の第１実施形態に係る建造物穿孔装置の斜視図
【図２】円筒形カッタの側断面図
【図３】直立姿勢の下端係止部材の正面図
【図４】直立姿勢の下端係止部材の側面図
【図５】建造物穿孔装置の事前穿孔用円筒カッタを装着した状態の斜視図
【図６】事前穿孔用円筒カッタの側断面図
【図７】事前穿孔用円筒カッタにて切削されている上下区画壁の側断面図
【図８】小形円柱体の下端部を折った状態の上下区画壁の側断面図
【図９】小形円柱体を排除する途中の状態の上下区画壁の側断面図
【図１０】円筒形カッタにて切削されている上下区画壁の側断面図
【図１１】下端係止部材が吊下孔を通過した状態の上下区画壁の側断面図
【図１２】円形除去建材が切り離された状態の上下区画壁の側断面図
【図１３】ストッパの斜視図
【図１４】本発明の第２実施形態に係る建造物穿孔装置の側面図
【図１５】円筒形カッタにて切削されている上下区画壁の側断面図
【図１６】変形例に係る側断面図
【図１７】変形例に係る側面図
【図１８】変形例に係る側面図
【図１９】変形例に係る側面図
【発明を実施するための形態】
【００２８】
［第１実施形態］
以下、本発明の実施形態を図１〜図１３に基づいて説明する。本実施形態の建造物穿孔装置１０は、図１に示すように、円筒形カッタ３０を回転駆動するための回転駆動源２１を、昇降機構１１によって上下動可能に支持した構造になっている。その昇降機構１１は、固定ベース１２と可動ベース１６とからなる。固定ベース１２は、建造物の床面に図示しないアンカーにて固定される固定盤１３から垂直に角柱状の支柱１４を起立させた構造をなしている。また、支柱１４の一側面には、上下方向に延びたラック１５が取り付けられ、可動ベース１６の落下を防止するためのストッパ１１８が着脱可能に備えられている。具体的には、ストッパ１１８は、上面視コの字形状をなして、後端部のボルト１１８Ｂ（図１３参照）の締め付けによって固定され、取り付け位置が上下に変更可能になっている。また、ストッパ１１８の前端部には、ラック１５と噛合するように係止突起１１８Ｔ，１１８Ｔが後方に向かって突出形成されている。そして、ストッパ１１８の上下の面１１８Ｓ（図１３には下面のみ示されている）には、図示しない緩衝材シートが敷設されている。
【００２９】
可動ベース１６は、支柱１４に上下動可能に嵌合されたベース本体１７を有している。そのベース本体１７の内側には、ラック１５に噛合した図示しないピニオンが備えられ、そのピニオンと一体回転する回転シャフト１８のうちベース本体１７の一側面から外側に突出した部分を、径方向に操作バー１９が直動可能に貫通している。そして、この操作バー１９の操作により可動ベース１６を支柱１４に沿って上下動させることができる。なお、操作バー１９の両端部には抜け止め用の球形ストッパ１９Ａ，１９Ａが取り付けられている。
【００３０】
可動ベース１６の前面には回転駆動源２１が固定されている。回転駆動源２１は、モータ２１Ｍの下端部に減速機２１Ｇを一体に組み付けて構造をなし、回転駆動源２１の下端部から下方に回転出力軸２２が延びている。また、可動ベース１６の後面には、回転駆動源２１を起動・停止等するための図示しない操作スイッチが備えられると共に、門形の持ち手部２３が突出形成されている。
【００３１】
回転駆動源２１の回転出力軸２２は、図２に示すように、軸方向の中間部より下側部分が本発明に係る回転雄螺子シャフト２５になっていて、そこに円筒形カッタ３０が螺合装着されている。円筒形カッタ３０は、円筒壁３１の上端部をカッタ上端壁３２で閉塞した上端有底、下端開放の円筒構造になっている。カッタ上端壁３２の中心部からは上方に連結スリーブ３３が突出し、その連結スリーブ３３の内側部分は、上下方向に貫通した取付用雌螺子孔３４になっている。そして、取付用雌螺子孔３４に回転雄螺子シャフト２５が螺合結合されると共に、回転出力軸２２のうち回転雄螺子シャフト２５より上側の大径部２６と下端面２６Ａ（本発明に係る「カッタ位置決め段差部」に相当する）に連結スリーブ３３が当接した状態になっている。また、円筒壁３１の下端部には、周方向に沿って複数の切削歯３５が設けられている。なお、本実施形態では円筒形カッタ３０の外径は、２５０〜６００［ｍｍ］になっている。
【００３２】
円筒形カッタ３０が回転雄螺子シャフト２５に螺合装着された状態で、回転雄螺子シャフト２５の一部は、円筒形カッタ３０のカッタ上端壁３２から垂下した状態になる。そして、円筒形カッタ３０内で回転雄螺子シャフト２５に吊下アタッチメント１４０が取り付けられている。
【００３３】
吊下アタッチメント１４０は、吊下部材４０の下端部に下端係止部材６０を連結してなり、その吊下部材４０は、連結シャフト４１の下端部にチェーン５０を連結してなる。連結シャフト４１は、上下方向に延びて、その中間部分より上側が大径部４１Ａ、下側が小径部４１Ｂになっている。大径部４１Ａの中心には、上端面に開放した第１雌ネジ部４３が備えられ、小径部４１Ｂの中心には、下端面に開放した第２雌ネジ部４４が備えられている。そして、第１雌ネジ部４３を回転雄螺子シャフト２５に螺合装着し、吊下部材４０の上端面を円筒形カッタ３０の内部上面に突き当てた状態にして連結シャフト４１が回転雄螺子シャフト２５に固定されている。これにより、吊下アタッチメント１４０は、円筒形カッタ３０と一体になって回転する。
【００３４】
第２雌ネジ部４４には、調整ボルト４２が螺合結合され、その螺合深さを変更することで調整ボルト４２を連結シャフト４１における上下方向の任意の位置に移動することができる。また、調整ボルト４２の下端部には、回転許容関節部４５を介してチェーン５０が連結されている。回転許容関節部４５は、第１可動部４６と第２可動部４７とを上下に並べて備えている。それら第１可動部４６と第２可動部４７とは、上下方向に延びた回転軸を中心にして相互に回転可能でかつ互いに上下方向で分離不能に連結されている。
【００３５】
第１可動部４６からは上方に支持シャフト４６Ｓが延び、その支持シャフト４６Ｓが調整ボルト４２の軸芯部分に固定されている。一方、第２可動部４７には、水平方向に連結孔４７Ａが貫通形成され、その連結孔４７Ａに、チェーン５０が連結されている。より具体的には、チェーン５０を構成する複数のチェーン構成リング５１のうち上端部のチェーン構成リング５１が挿通されている。なお、各チェーン構成リング５１は、図４に示すように、上下方向に平行になって延びた１対の直線部５１Ａ，５１Ａの両端部の間を半円弧状の半円弧部５１Ｂ，５１Ｂにて連絡した長円形をなし、チェーン５０のうち上端部と下端部のチェーン構成リング５１における一方の直線部５１Ａには図示しない切り欠き部が設けられ、その切り欠き部を連絡ナット５１Ｃにて塞いだ状態と、開放した状態とに変更することができるようになっている。
【００３６】
さて、チェーン５０の下端部のチェーン構成リング５１には、下端係止部材６０が取り付けられている。具体的には、下端係止部材６０は、図３に示すように、全体が略帯板状をなし、その重心位置（即ち、下端係止部材６０の長手方向の中心でかつ幅方向の略中心位置）に回動中心孔６３が貫通形成されている。そして、回動中心孔６３にチェーン構成リング５１における半円弧部５１Ｂが挿通され、下端係止部材６０は、重心位置を中心に水平軸回りに回動可能に保持される。
【００３７】
下端係止部材６０の幅方向の一端に位置した一側面には、複数の滑止突起６２（本発明の「滑止用凹凸部」に相当する）が突出形成されている。各滑止突起６２は、略三角形になっていて先端が尖っている。そして、係止突起６２は、下端係止部材６０の長手方向の中心に対して左右対称に複数ずつ配置されている（図２参照）。
【００３８】
下端係止部材６０のうち滑止突起６２群が形成された一側面と反対の一側面側の両角部には、それぞれ下端係止部材６０の板厚方向に雌螺子孔６０Ｎが貫通形成され、それら１対の雌螺子孔６０Ｎ，６０Ｎに回動規制用ボルト６１，６１が螺合している。より詳細には、図４に示すように、一方の回動規制用ボルト６１は、下端係止部材６０の表裏の一方の面にボルトヘッド６１Ｈが配置され、他方の回動規制用ボルト６１は、下端係止部材６０の表裏の他方の面にボルトヘッド６１Ｈが配置された状態で螺合している。
【００３９】
図３に示すように、下端係止部材６０がその長手方向が水平方向を向いて吊下部材４０から両側方に張り出した水平姿勢から一方向に回動していくと、一方の回動規制用ボルト６１のボルトヘッド６１Ｈが、チェーン構成リング５１のうち一方の直線部５１Ａの連絡ナット５１Ｃに当接する。反対に、下端係止部材６０が水平姿勢から他方向に回動していくと、他方の回動規制用ボルト６１のボルトヘッド６１Ｈが、チェーン構成リング５１における他方の直線部５１Ａに当接する。これにより、下端係止部材６０は、滑止突起６２群を下に配置した水平姿勢にはならないように規制され、下端係止部材６０が水平姿勢になった際にはからず滑止突起６２群が上面側に配置される。また、ボルトヘッド６１Ｈとチェーン構成リング５１とが当接した状態では、下端係止部材６０は、鉛直方向と平行な直立姿勢になる。本実施形態では、水平姿勢が本発明の「張出状態」に相当し、直立姿勢と鉛直方向に対して斜めになった傾斜姿勢とが本発明の「待機状態」に相当する。
【００４０】
図２に示すように、吊下部材４０の長さは、下端係止部材６０が直立姿勢か水平姿勢かに拘わらず下端係止部材６０のうち最も上方に位置した最上部が円筒形カッタ３０の下端より下方に配置されるように設定されている。より詳細には、吊下部材４０の長さは、下端係止部材６０が直立姿勢で下端係止部材６０の最上部と円筒形カッタ３０の下端との間の距離Ｌ２になるように設定されている。そして、コンクリートが、距離Ｌ２と円筒形カッタ３０の内周長との積で求められる面積に、円筒形カッタ３０の内容積分のコンクリートの重量の剪断力を受けても剪断されないように前記距離Ｌ２が設定されている。
【００４１】
本実施形態の建造物穿孔装置１０では、吊下部材４０及び円筒形カッタ３０を回転駆動源２１の回転出力軸２２から取り外し、その代わりに図５に示した事前穿孔用円筒カッタ３０Ｖを回転出力軸２２に取り付けることができる、その事前穿孔用円筒カッタ３０Ｖは、円筒形カッタ３０とは外径が異なり、下端部に切削歯３５を有し、上端部に連結スリーブ３３を備えている点は、円筒形カッタ３０と同様である。そして、事前穿孔用円筒カッタ３０Ｖの外径Ｄ１（図６参照）は、水平姿勢にした下端係止部材６０の水平方向の長さ、即ち、下端係止部材６０の長手方向の中心から端部までの長さＬ１（図２参照）より小さくなっている。
【００４２】
また、本実施形態では、図示しないロータリージョイントを介して円筒形カッター３０の軸部にクーラント水が供給されている。クーラント水は、回転出力軸２２の内部を通って吊下部材４０の上端部に設けた排水口（図示せず）から排出される。この排出されたクーラント水が建造物の床の孔から下の階に落ちないようにするために、本実施形態の建造物穿孔装置１０には、筒形堤防１３０が別部材として備えられている（図１０参照）。具体的には、筒形堤防１３０は、シール部材１３１と、その上に載せる堤防本体１３２とからなり、堤防本体１３２の上端開口は、下方に向かうに従って狭まるようになっている。
【００４３】
本実施形態の建造物穿孔装置１０の構成に関する説明は以上である。次に、建造物穿孔装置１０を用いた建造物穿孔工法について説明する。図７には、建造物のうち所定の階とその下の階とを仕切る上下区画壁１００が示されている。この上下区画壁１００に、ケーブル、配管等を通すための階層間貫通孔１１０（図１２参照）を穿孔する場合、その上下区画壁１００の上面に建造物穿孔装置１０の固定盤１３を例えばアンカーにて固定し、上下区画壁１００から支柱１４を起立させた状態に固定する。そして、回転駆動源２１の回転出力軸２２に事前穿孔用円筒カッタ３０Ｖを取り付け、まずは、下端係止部材６０の長手方向の中心から端部までの長さＬ１（図２参照）より小さい径の吊下孔１０７を穿孔する。
【００４４】
具体的には、例えば、設計図により上下区画壁１００の厚さを調べておき、回転駆動源２１にて事前穿孔用円筒カッタ３０Ｖを回転駆動し、操作バー１９を操作して事前穿孔用円筒カッタ３０Ｖを上下区画壁１００に上方から押し付ける。すると、事前穿孔用円筒カッタ３０Ｖの切削歯３５が上下区画壁１００に小形円環溝１０３を切削していき、上下区画壁１００の一部が小形円柱体１０５として切り取られて行く。ここで、上下区画壁１００に鉄筋１０１や防水層１０２が埋設されていても、それら鉄筋１０１、防水層１０２は事前穿孔用円筒カッタ３０Ｖによって切断されて行く。
【００４５】
図７に示すように事前穿孔用円筒カッタ３０Ｖの切削歯３５が鉄筋１０１の下端面寄り位置に到達したら、図８に示すように、事前穿孔用円筒カッタ３０Ｖを上下区画壁１００から抜き、小形円柱体１０５の上端部に側方から力Ｆを付与して小形円柱体１０５の下端部を破断する。
【００４６】
次いで、小形円環溝１０３に図９に示したコア抜取工具１２０（本発明の「フック」に相当する）を挿入する。そのコア抜取工具１２０は、上下方向に延びた板又は棒状をなし、下端部を略直角に折り曲げてフック部１２０Ｆ備えた構造になっている。そこで、コア抜取工具１２０のコア抜取工具１２０Ｆを小形円環溝１０３に沿わせた状態にして挿入してから捻り、下端部のフック部１２０Ｆを小形円柱体１０５の下面に係止し、引き上げる。これにより、小形円柱体１０５が上下区画壁１００の上方に抜き取られる。そして、上下区画壁１００のうち小形円柱体１０５の下方の残された残存壁１０６を上下区画壁１００の下方に打ち抜き、上下区画壁１００に吊下孔１０７を貫通形成する。
【００４７】
次いで、図１に示すように、事前穿孔用円筒カッタ３０Ｖに代えて円筒形カッタ３０を回転駆動源２１の回転出力軸２２に取り付け、円筒形カッタ３０の切削終了位置に合わせてストッパ１１８を支柱１４にセットする。さらに、図２に示すように円筒形カッタ３０の内側の回転出力軸２２に吊下アタッチメント１４０を取り付け、吊下部材４０をチェーン５０によって上下区画壁１００の厚さに応じた長さに調節する。そして、吊下孔１０７の縁部に筒形堤防１３０をセットする（図１０参照）。次いで、図３に示すように、下端係止部材６０を直立姿勢にする。ここで、下端係止部材６０の回動中心は、重心位置に配置されているので、円筒形カッタ３０の回転が止められて下端係止部材６０が遠心力を受けていない状態では、任意の回動位置に下端係止部材６０を停止させることができる。即ち、下端係止部材６０を直立姿勢に維持することができる。そして、円筒形カッタ３０の切削歯３５が上下区画壁１００の上面に隣接する位置まで移動し、直立姿勢の下端係止部材６０を吊下孔１０７に収容する。
【００４８】
次いで、円筒形カッタ３０を回転駆動し、上下区画壁１００に上方から押し付けていく。すると、上下区画壁１００に吊下孔１０７と同心の円環状スリット１０８が切削されていく。このとき、仮に下端係止部材６０が回動したとしても、吊下孔１０７の径は下端係止部材６０の全長より小さいので、下端係止部材６０は、水平姿勢にはならず待機状態に保持される。また、回転駆動源２１の回転出力軸２２と下端係止部材６０との間には、回転を遮断することが可能な回転許容関節部４５が備えられている。これにより、仮に下端係止部材６０が吊下孔１０７の内面に引っ掛かっても下端係止部材６０が破損・変形することが防がれる。
【００４９】
円筒形カッタ３０により上下区画壁１００の切削が進むとこれに伴い下端係止部材６０が吊下孔１０７内を降下していく。そして、円筒形カッタ３０の下端部が上下区画壁１００の下端寄り位置に到ると、図１０から図１１の変化に示すように下端係止部材６０全体が吊下孔１０７の下方に抜け出る。すると、下端係止部材６０は吊下孔１０７の内面に引っ掛かって旋回を規制されることがなくなり、回動許容関節部４５が回転出力軸２２から下端係止部材６０に回転を伝達する。このとき、下端係止部材６０は、傾斜姿勢になっていれば、両端部に遠心力を受けて水平姿勢へと変化する。また、下端係止部材６０は、直立姿勢のままであれば、振動によって直立姿勢から僅かに傾斜したときに遠心力を受けて傾斜姿勢に変化し、最終的に水平姿勢になる。本実施形態では、遠心力が本発明の「付勢手段」に相当する。
【００５０】
このように、下端係止部材６０は、吊下孔１０７に挿通されるときには直立姿勢に維持され、吊下孔１０７を通過したときに、自動的に待機状態から水平姿勢へと変化し、上下区画壁１００のうち円環状スリット１０８の内側の円形除去建材１１１を待ち構えた状態になる。
【００５１】
この状態で円筒形カッタ３０による切削が更に進むと、やがて円形除去建材１１１が上下区画壁１００切り離される。すると、その円形除去建材１１１が下方にずれ、下端係止部材６０によって円形除去建材１１１が受け止められる。これにより、円形除去建材１１１が上下区画壁１００の下の階に落下することが防がれる。ここで、下端係止部材６０が側方にずらされた場合でも、下端係止部材６０の両端部が吊下孔１０７の下縁部に引っ掛かるので、円形除去建材１１１を確実に支持できる。しかも、下端係止部材６０の滑止突起６２を円形除去建材１１１に食い込ませることができるので、下端係止部材６０による円形除去建材１１１の保持が安定する。そして、建造物穿孔装置１０の昇降機構１１にて円筒形カッタ３０を上昇させたときに、円形除去建材１１１も円筒形カッタ３０と共に上昇して、上下区画壁１００の上方に引き抜かれる。これにより、上下区画壁１００に円筒形カッタ３０の外径に相当する階層間貫通孔１１０が穿孔される。
【００５２】
このように、本実施形態の建造物穿孔装置１０では、円形除去建材１１１を下端係止部材６０にて下方から支持するので、上下区画壁１００の内部構造に拘わらず、従来より確実に円形除去建材１１１の落下を防止することができる。また、既存の建造物穿孔装置における回転雄螺子シャフト２５に吊下アタッチメント１４０を螺合装着するだけで、その建造物穿孔装置を容易に本発明に係る建造物穿孔装置１０に変更することができる。しかも、事前穿孔用円筒カッタ３０Ｖと円筒形カッタ３０と同じ回転駆動源２１に交換して取り付けて使用することができるので、回転駆動源２１、昇降機構１１等の有効利用が図られる。
【００５３】
［第２実施形態］
本実施形態は、図１４及び図１５に示されており、建造物穿孔装置１０Ｖにおける回転駆動源２１Ｖの中心に吊下部材挿通孔２１Ｋを貫通形成して備えた点が第１実施形態と異なる。具体的には、吊下部材挿通孔２１Ｋは、回転駆動源２１Ｖを構成する減速機２１Ｇ及びモータ２１Ｍ及び回転出力軸２２の軸芯部を上下方向に貫通している。また、支柱１４の上端部には、吊下ワイヤ８３を巻き付けたボビン８５が備えられている。さらに、支柱１４の上端寄り位置からは円筒カッタ３０の上方位置に向けて吊下支持アーム８７が延びて、その先端には中継ホイール８４が回転可能に取り付けられている。そして、そのボビン８５から引き出された吊下ワイヤ８３が、図１５に示すように、中継ホイール８４を介して回転駆動源２１Ｖの吊下部材挿通孔２１Ｋに真上から挿通されて円筒形カッタ３０内で前述した回転許容関節部４５の支持シャフト４６Ｓに連結されている。なお、本実施形態では、これら吊下ワイヤ８３，支持シャフト４６Ｓ、回転許容関節部４５及びチェーン５０によって、本発明に係る吊下部材が構成されている。また、吊下支持アーム８７を含む固定ベース１２が本発明の「吊下支持ベース」に相当する。
【００５４】
本実施形態の建造物穿孔装置１０Ｖの構成に関する説明は以上である。次に、この建造物穿孔装置１０Ｖを用いた建造物穿孔工法について説明する。本実施形態においても、円筒形カッタ３０に代えて事前穿孔用円筒カッタ３０Ｖを建造物穿孔装置１０Ｖに取り付け、上下区画壁１００にベース本体１７を貫通形成しておく（図７〜図９参照）。そして、円筒形カッタ３０にて上下区画壁１００を切削する前に、下端係止部材６０を吊下孔１０７に挿通し、ボビン８５の巻上ハンドル８５Ｈにて下端係止部材６０を巻き上げて上下区画壁１００の下面のうち吊下孔１０７の下端開口縁に下端係止部材６０を係止しておく。そして、円筒形カッタ３０を回転駆動させて上下区画壁１００に押し付け、円環状スリット１０８を切削していくと共に、円筒形カッタ３０が降下した分をボビン８５の巻上ハンドル８５Ｈにて吊下ワイヤ８３を巻き上げ、下端係止部材６０が常に上下区画壁１００の下面に係止した状態を維持する。そして、円筒形カッタ３０の下端部が上下区画壁１００を貫通する位置まで円筒形カッタ３０による切削を進めていく。これにより、円筒形カッタ３０にて円形除去建材１１１を上下区画壁１００から切り離したときに、その円形除去建材１１１が下端係止部材６０にて下方から支持され、上下区画壁１００の内部構造に拘わらず、従来より確実に円形除去建材１１１の落下を防止することができる。
【００５５】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００５６】
（１）図１６に示すように、回転出力部１２２をモータ２１Ｍからギア９０，９１を介して水平方向にずらし、吊下ワイヤ８３が、回転出力部１２２内に形成された吊下部材挿通孔１２１Ｋに挿通される構成であってもよい。
【００５７】
（２）図１７に示す下端係止部材６０Ｖのように、滑止突起６２群と反対側に錘部６９を備えた構成であってもよい。この構成によれば、下端係止部材６０Ｖの水平姿勢への付勢を自重によっても行うことができる。
【００５８】
（３）図１８に示す下端係止部材６０Ｗのように、滑止突起６２群と同じ側に錘部６９Ｗを備えて直立姿勢から水平姿勢と反対側へ回動するように付勢されていてもよい。この構成によれば、吊下孔１０７に挿通する際に下端係止部材６０Ｗを確実に直立姿勢にすることができる。なお、この構成であっても、遠心力によって下端係止部材６０Ｗを水平姿勢へ付勢することができる。
【００５９】
（４）前記実施形態では、下端係止部材６０が長手方向の中心部を中心に回動可能な構成であったが、図１９に示す下端係止部材９０のように、傘形をなして、図１９（Ａ）に示す折り畳み状態（本発明の「待機状態」に相当する）で吊下孔１０７内を上下動し、吊下孔１０７の通過後に図１９（Ｂ）に示す傘が開いた状態（本発明の「張出状態」に相当する）になる構成であってもよい。
【００６０】
（５）前記実施形態では、下端係止部材６０が回転出力軸２２に対して回転可能であったが、回転出力軸２２に対して回転不能に構成されていてもよい。なお、前記実施形態の構成によれば、下端係止部材６０が円筒形カッタ３０と一体に回転することを抑えて、吊下孔１０７の内側面との衝突による劣化防止を図れる。
【００６１】
（６）前記実施形態では、上下区画壁１００の上面に固定盤１３がアンカーで固定されていたが、吸盤で固定されていてもよい。
【００６２】
（７）前記第１実施形態では、吊下部材４０の長さは、チェーン５０によって調整可能であったが、一定の長さに固定されていてもよい。
【００６３】
（８）前記第１実施形態では、吊下アタッチメント１４０は、回転出力軸２２に螺合装着されていたが、円筒形カッタ３０のカッタ上端壁３２に、例えば、ビス止めされてもよい。
【００６４】
（９）前記第２実施形態では、下端係止部材６０はチェーン５０と共に吊下孔１０７を通過していたが、下端係止部材６０をチェーン５０から外した状態の吊下部材を吊下孔１０７に挿通させておき、吊下孔１０７の下方に抜けたチェーン５０に、水平方向の長さが吊下孔１０７の径よりも長い係止部材を回動不能に取り付けてもよい。
【００６５】
（１０）円形除去建材１１１を待ち構える下端係止部材６０は水平姿勢に限定されることはなく、水平方向に対して若干傾斜した姿勢であってもよい。この場合であっても、円形除去建材１１１が下方に移動したときに下端係止部材６０の両端部を吊下孔１０７の下縁部に引っ掛けて、円形除去建材１１１の落下を防ぐことができる。
【符号の説明】
【００６６】
１０，１０Ｖ    建造物穿孔装置
１２    固定ベース
２１，２１Ｖ    回転駆動源
２１Ｋ，１２１Ｋ    吊下部材挿通孔
２２，１２２    回転出力軸
２５    回転雄螺旋シャフト
３０    円筒形カッタ
３０Ｖ    事前穿孔用円筒カッタ
３４    取付用雌螺旋孔
４０    吊下部材
４５    回転許容関節部
６０，６０Ｖ，６０Ｗ，９２    下端係止部材
６２    滑止突起（滑止用凹凸部）
８１    吊下部材挿通孔
８３    吊下ワイヤ
８７    吊下支持アーム
８２    長さ調整機構
１００    上下区画壁
１０３    小形円環溝
１０５    小形円柱体
１０６    残存壁
１０７    吊下孔
１０８    円環状スリット
１１０    階層間貫通孔
１１１    円形除去建材
１４０    吊下アタッチメント
【図１】
2011099300.tif 000003
【図２】
2011099300.tif 000004
【図３】
2011099300.tif 000005
【図４】
2011099300.tif 000006
【図５】
2011099300.tif 000007
【図６】
2011099300.tif 000008
【図７】
2011099300.tif 000009
【図８】
2011099300.tif 000010
【図９】
2011099300.tif 000011
【図１０】
2011099300.tif 000012
【図１１】
2011099300.tif 000013
【図１２】
2011099300.tif 000014
【図１３】
2011099300.tif 000015
【図１４】
2011099300.tif 000016
【図１５】
2011099300.tif 000017
【図１６】
2011099300.tif 000018
【図１７】
2011099300.tif 000019
【図１８】
2011099300.tif 000020
【図１９】
2011099300.tif 000021
【手続補正書】
【提出日】平成22年8月10日(2010.8.10)
【手続補正１】
【補正対象書類名】特許請求の範囲
【補正対象項目名】全文
【補正方法】変更
【補正の内容】
【特許請求の範囲】
【請求項１】
建造物のうち空間を上下に仕切る上下区画壁に対して上方から円筒形カッタを回転駆動させながら降下し、前記上下区画壁に円環状スリットを切削することで、その円環状スリットの内側の円形除去建材を前記上下区画壁から切り離して階層間貫通孔を形成すると共に、前記円筒形カッタ内の上端面の中心部から垂下した吊下部材にて前記円形除去建材を保持して落下を防止可能な建造物穿孔装置において、
前記吊下部材の下端部に回動可能に連結されて、前記吊下部材から側方に張り出した張出状態と、その張出状態より側方への張り出し量が小さい待機状態とに変化可能な下端係止部材を設け、前記待機状態か前記張出状態かに拘わらず前記下端係止部材のうち最も上方に位置した最上部が前記円筒形カッタの下端より下方に配置されるように前記吊下部材の長さを設定した建造物穿孔装置であって、
前記円筒形カッタは、円筒壁の上端部から内側に張り出したカッタ上端壁の中心部に、上下方向に貫通した取付用雌螺子孔を設けた構造をなし、
前記円筒形カッタの回転駆動源は、前記取付用雌螺子孔に螺合結合される回転雄螺子シャフトを垂下して備え、
前記回転雄螺子シャフトの長手方向の途中に設けたカッタ位置決め段差部に、前記取付用雌螺子孔の上端開口縁を突き当てて、前記円筒形カッタを前記回転雄螺子シャフトに回り止めすると共に、前記回転雄螺子シャフトの一部を前記カッタ上端壁から垂下した状態とし、
前記吊下部材は、前記円筒形カッタ内で前記回転雄螺子シャフトに螺合装着されて上下方向に延びていることを特徴とする建造物穿孔装置。
【請求項２】
前記吊下部材の上下方向における中間位置には、その中間位置より上側部分と下側部分とを互いに回転可能に連結する回転許容関節部が設けられたことを特徴とする請求項１に記載の建造物穿孔装置。
【請求項３】
前記下端係止部材は、前記張出状態で水平方向に延び、その長手方向の中心部が前記吊下部材の下端部に回動可能に連結されたことを特徴とする請求項１又は２に記載の建造物穿孔装置。
【請求項４】
前記吊下部材の下端部には、上下方向に平行になって延びた１対の直線部の両端部を１対の半円弧部にて連絡してなる長円形のリングが設けられ、
前記リングの下側の前記半円弧部が前記下端係止部材の回動中心に貫通形成された回動中心孔に挿通され、
前記下端係止部材の両端部から前記回動中心孔の軸方向と略平行な方向に突出し、前記下端係止部材が前記待機状態で前記直線部と干渉して、前記下端係止部材の前記待機状態からの回動方向を一方向に限定する回動規制突起と、
前記下端係止部材のうち前記張出状態で上方を向く面に形成された滑止用凹凸部とを備えたことを特徴とする請求項３に記載の建造物穿孔装置。
【請求項５】
前記待機状態になっている前記下端係止部材を、前記張出状態に付勢する付勢手段を備えたことを特徴とする請求項１乃至４の何れか１の請求項に記載の建造物穿孔装置。
【請求項６】
建造物のうち空間を上下に仕切る上下区画壁に対して上方から円筒形カッタを回転駆動させながら降下し、前記上下区画壁に円環状スリットを切削することで、その円環状スリットの内側の円形除去建材を前記上下区画壁から切り離して階層間貫通孔を形成すると共に、前記円筒形カッタ内の上端面の中心部から垂下した吊下部材にて前記円形除去建材を保持して落下を防止する建造物穿孔工法において、
前記吊下部材の下端部に回動可能に連結されて、前記吊下部材から側方に張り出した張出状態と、その張出状態より側方への張り出し量が小さい待機状態とに変化可能な下端係止部材を設けておき、
前記上下区画壁のうち前記円環状スリットを切削する部分の中心に予め吊下孔を貫通形成し、
前記円筒形カッタによる前記円環状スリットの切削開始時に、前記待機状態にした前記下端係止部材の全部又は一部を前記吊下孔内に配置して、その吊下孔の内面との干渉により前記下端係止部材を前記待機状態に保持し、
前記円形除去建材が前記上下区画壁から切り離される前に、前記下端係止部材全体を前記吊下孔の下方に出現させてから前記下端係止部材を前記待機状態から前記張出状態に変化させて、前記吊下孔の下端開口縁に係止可能な状態にすることを特徴とする建造物穿孔工法。
【請求項７】
前記円筒形カッタの回転駆動源を支持する架台を前記上下区画壁に上下動不能かつ回転不能に固定しておき、
前記回転駆動源の回転出力部に着脱可能に取り付けた事前穿孔用円筒カッタにて、前記上下区画壁の下端寄り位置まで前記円環状スリットより小径の小形円環溝を形成し、
前記上下区画壁のうち前記小形円環溝に囲まれた小形円柱体の上端部に横向きの負荷を付与して下端部から折り、前記小形円環溝に挿入したフックにて前記小形円柱体を上方に抜き出し、
前記上下区画壁のうち前記小形円柱体の下方に残った残存壁を打ち抜いて前記吊下孔を穿孔し、
前記事前穿孔用円筒カッタを前記円筒形カッタに取り替えて前記円環状スリットを切削することを特徴とする請求項６に記載の建造物穿孔工法。
【請求項８】
建造物のうち空間を上下に仕切る上下区画壁に対して上方から円筒形カッタを回転駆動させながら降下し、前記上下区画壁に円環状スリットを切削することで、その円環状スリットの内側の円形除去建材を前記上下区画壁から切り離して階層間貫通孔を形成すると共に、吊下部材にて前記円形除去建材を保持して落下を防止する建造物穿孔工法において、
前記円筒形カッタを含む回転駆動部の回転中心を上下方向に貫通した吊下部材挿通孔を設けておき、
前記上下区画壁のうち前記円環状スリットを切削する部分の中心に予め吊下孔を貫通形成し、
前記建造物に固定された吊下支持ベースにて、前記吊下部材挿通孔の上方で前記吊下部材を支持して、その吊下部材を前記吊下部材挿通孔及び前記吊下孔に挿通すると共に、前記吊下部材の下端部に備えた下端係止部材を前記円形除去建材の下面に係止させた後で、前記円形除去建材を前記上下区画壁から切り離す建造物穿孔工法であって、
前記円筒形カッタの回転駆動源を支持する架台を前記上下区画壁に上下動不能かつ回転不能に固定しておき、
前記回転駆動源の回転出力部に着脱可能に取り付けた事前穿孔用円筒カッタにて、前記上下区画壁の下端寄り位置まで前記円環状スリットより小径の小形円環溝を形成し、
前記上下区画壁のうち前記小形円環溝に囲まれた小形円柱体の上端部に横向きの負荷を付与して下端部から折り、前記小形円環溝に挿入したフックにて前記小形円柱体を上方に抜き出し、
前記上下区画壁のうち前記小形円柱体の下方に残った残存壁を打ち抜いて前記吊下孔を穿孔し、
前記事前穿孔用円筒カッタを前記円筒形カッタに取り替えて前記円環状スリットを切削することを特徴とする建造物穿孔工法。
【請求項９】
建造物のうち空間を上下に仕切る上下区画壁に円筒形カッタを上方から押しつけて階層間貫通孔を形成する建造物穿孔装置に着脱可能に取り付けられ、前記円筒形カッタによって前記上下区画壁から切り取られる円形除去建材の落下を防止する吊下アタッチメントであって、
前記円筒形カッタは、円筒壁の上端部から内側に張り出したカッタ上端壁の中心部に、上下方向に貫通した取付用雌螺子孔を設けた構造をなしかつ、前記円筒形カッタの回転駆動源は、前記取付用雌螺子孔に螺合結合される回転雄螺子シャフトを垂下して備え、前記回転雄螺子シャフトの長手方向の途中に設けたカッタ位置決め段差部に、前記取付用雌螺子孔の上端開口縁を突き当てて、前記円筒形カッタを前記回転雄螺子シャフトに回り止めすると共に、前記回転雄螺子シャフトの一部を前記カッタ上端壁から垂下した状態になる建造物穿孔装置用の吊下アタッチメントにおいて、
上下方向に延びかつ前記円筒形カッタ内で前記回転雄螺子シャフトに螺合装着されて前記円筒形カッタ内の上端面の中心部に着脱可能に取り付けられて垂下した状態になる吊下部材と、
前記吊下部材の下端部に回動可能に連結されて、側方に張り出した張出状態と、その張出状態より側方への張り出し量が小さい待機状態とに変化可能な下端係止部材とを備えてなることを特徴とする吊下アタッチメント。
【手続補正２】
【補正対象書類名】明細書
【補正対象項目名】０００６
【補正方法】変更
【補正の内容】
【０００６】
上記目的を達成するためになされた請求項１の発明に係る建造物穿孔装置は、建造物のうち空間を上下に仕切る上下区画壁に対して上方から円筒形カッタを回転駆動させながら降下し、上下区画壁に円環状スリットを切削することで、その円環状スリットの内側の円形除去建材を上下区画壁から切り離して階層間貫通孔を形成すると共に、円筒形カッタ内の上端面の中心部から垂下した吊下部材にて円形除去建材を保持して落下を防止可能な建造物穿孔装置において、吊下部材の下端部に回動可能に連結されて、吊下部材から側方に張り出した張出状態と、その張出状態より側方への張り出し量が小さい待機状態とに変化可能な下端係止部材を設け、待機状態か張出状態かに拘わらず下端係止部材のうち最も上方に位置した最上部が円筒形カッタの下端より下方に配置されるように吊下部材の長さを設定した建造物穿孔装置であって、円筒形カッタは、円筒壁の上端部から内側に張り出したカッタ上端壁の中心部に、上下方向に貫通した取付用雌螺子孔を設けた構造をなし、円筒形カッタの回転駆動源は、取付用雌螺子孔に螺合結合される回転雄螺子シャフトを垂下して備え、回転雄螺子シャフトの長手方向の途中に設けたカッタ位置決め段差部に、取付用雌螺子孔の上端開口縁を突き当てて、円筒形カッタを回転雄螺子シャフトに回り止めすると共に、回転雄螺子シャフトの一部をカッタ上端壁から垂下した状態とし、吊下部材は、円筒形カッタ内で回転雄螺子シャフトに螺合装着されて上下方向に延びているところに特徴を有する。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】変更
【補正の内容】
【００１０】
請求項３の発明は、請求項１又は２に記載の建造物穿孔装置において、下端係止部材は、張出状態で水平方向に延び、その長手方向の中心部が記吊下部材の下端部に回動可能に連結されたところに特徴を有する。
【手続補正６】
【補正対象書類名】明細書
【補正対象項目名】００１１
【補正方法】変更
【補正の内容】
【００１１】
請求項４の発明は、請求項３に記載の建造物穿孔装置において、吊下部材の下端部には、上下方向に平行になって延びた１対の直線部の両端部を１対の半円弧部にて連絡してなる長円形のリングが設けられ、リングの下側の半円弧部が下端係止部材の回動中心に貫通形成された回動中心孔に挿通され、下端係止部材の両端部から回動中心孔の軸方向と略平行な方向に突出し、下端係止部材が待機状態で直線部と干渉して、下端係止部材の待機状態からの回動方向を一方向に限定する回動規制突起と、下端係止部材のうち張出状態で上方を向く面に形成された滑止用凹凸部とを備えたところに特徴を有する。
【手続補正７】
【補正対象書類名】明細書
【補正対象項目名】００１２
【補正方法】変更
【補正の内容】
【００１２】
請求項５の発明は、請求項１乃至４の何れか１の請求項に記載の建造物穿孔装置において、待機状態になっている下端係止部材を、張出状態に付勢する付勢手段を備えたところに特徴を有する。
【手続補正８】
【補正対象書類名】明細書
【補正対象項目名】００１３
【補正方法】変更
【補正の内容】
【００１３】
請求項６の発明に係る建造物穿孔工法は、建造物のうち空間を上下に仕切る上下区画壁に対して上方から円筒形カッタを回転駆動させながら降下し、上下区画壁に円環状スリットを切削することで、その円環状スリットの内側の円形除去建材を上下区画壁から切り離して階層間貫通孔を形成すると共に、円筒形カッタ内の上端面の中心部から垂下した吊下部材にて円形除去建材を保持して落下を防止する建造物穿孔工法において、吊下部材の下端部に回動可能に連結されて、吊下部材から側方に張り出した張出状態と、その張出状態より側方への張り出し量が小さい待機状態とに変化可能な下端係止部材を設けておき、上下区画壁のうち円環状スリットを切削する部分の中心に予め吊下孔を貫通形成し、円筒形カッタによる円環状スリットの切削開始時に、待機状態にした下端係止部材の全部又は一部を吊下孔内に配置して、その吊下孔の内面との干渉により下端係止部材を待機状態に保持し、円筒形カッタにて円形除去建材が上下区画壁から切り離される前に、下端係止部材全体を吊下孔の下方に出現させてから下端係止部材を待機状態から張出状態に変化させて、吊下孔の下端開口縁に係止可能な状態にするところに特徴を有する。
請求項７の発明は、請求項６に記載の建造物穿孔工法において、円筒形カッタの回転駆動源を支持する架台を上下区画壁に上下動不能かつ回転不能に固定しておき、回転駆動源の回転出力部に着脱可能に取り付けた事前穿孔用円筒カッタにて、上下区画壁の下端寄り位置まで円環状スリットより小径の小形円環溝を形成し、上下区画壁のうち小形円環溝に囲まれた小形円柱体の上端部に横向きの負荷を付与して下端部から折り、小形円環溝に挿入したフックにて小形円柱体を上方に抜き出し、上下区画壁のうち小形円柱体の下方に残った残存壁を打ち抜いて吊下孔を穿孔し、事前穿孔用円筒カッタを円筒形カッタに取り替えて円環状スリットを切削するところに特徴を有する。
【手続補正９】
【補正対象書類名】明細書
【補正対象項目名】００１４
【補正方法】変更
【補正の内容】
【００１４】
請求項８の発明に係る建造物穿孔工法は、建造物のうち空間を上下に仕切る上下区画壁に対して上方から円筒形カッタを回転駆動させながら降下し、上下区画壁に円環状スリットを切削することで、その円環状スリットの内側の円形除去建材を上下区画壁から切り離して階層間貫通孔を形成すると共に、吊下部材にて円形除去建材を保持して落下を防止する建造物穿孔工法において、円筒形カッタを含む回転駆動部の回転中心を上下方向に貫通した吊下部材挿通孔を設けておき、上下区画壁のうち円環状スリットを切削する部分の中心に予め吊下孔を貫通形成し、建造物に固定された吊下支持ベースにて、吊下部材挿通孔の上方で吊下部材を支持して、その吊下部材を吊下部材挿通孔及び吊下孔に挿通すると共に、吊下部材の下端部に備えた下端係止部材を円形除去建材の下面に係止させた後で、円形除去建材を上下区画壁から切り離す建造物穿孔工法であって、円筒形カッタの回転駆動源を支持する架台を上下区画壁に上下動不能かつ回転不能に固定しておき、回転駆動源の回転出力部に着脱可能に取り付けた事前穿孔用円筒カッタにて、上下区画壁の下端寄り位置まで円環状スリットより小径の小形円環溝を形成し、上下区画壁のうち小形円環溝に囲まれた小形円柱体の上端部に横向きの負荷を付与して下端部から折り、小形円環溝に挿入したフックにて小形円柱体を上方に抜き出し、上下区画壁のうち小形円柱体の下方に残った残存壁を打ち抜いて吊下孔を穿孔し、事前穿孔用円筒カッタを円筒形カッタに取り替えて円環状スリットを切削するところに特徴を有する。
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】変更
【補正の内容】
【００１６】
請求項９の発明に係る吊下アタッチメントは、建造物のうち空間を上下に仕切る上下区画壁に円筒形カッタを上方から押しつけて階層間貫通孔を形成する建造物穿孔装置に着脱可能に取り付けられ、円筒形カッタによって上下区画壁から切り取られる円形除去建材の落下を防止する吊下アタッチメントであって、円筒形カッタは、円筒壁の上端部から内側に張り出したカッタ上端壁の中心部に、上下方向に貫通した取付用雌螺子孔を設けた構造をなしかつ、前記円筒形カッタの回転駆動源は、取付用雌螺子孔に螺合結合される回転雄螺子シャフトを垂下して備え、回転雄螺子シャフトの長手方向の途中に設けたカッタ位置決め段差部に、取付用雌螺子孔の上端開口縁を突き当てて、円筒形カッタを回転雄螺子シャフトに回り止めすると共に、回転雄螺子シャフトの一部をカッタ上端壁から垂下した状態になる建造物穿孔装置用の吊下アタッチメントにおいて、上下方向に延びかつ円筒形カッタ内で回転雄螺子シャフトに螺合装着されて円筒形カッタ内の上端面の中心部に着脱可能に取り付けられて垂下した状態になる吊下部材と、吊下部材の下端部に回動可能に連結されて、側方に張り出した張出状態と、その張出状態より側方への張り出し量が小さい待機状態とに変化可能な下端係止部材とを備えてなるところに特徴を有する。
【手続補正１２】
【補正対象書類名】明細書
【補正対象項目名】００１７
【補正方法】変更
【補正の内容】
【００１７】
［請求項１の発明］
請求項１の建造物穿孔装置によって上下区画壁に階層間貫通孔を穿孔する場合には、その上下区画壁に予め吊下孔を貫通形成しておき、その吊下孔を中心にして円筒形カッタにて上下区画壁に円環状スリットを切削して行けばよい。すると、円筒形カッタの下端部が上下区画壁内を下方に移動するに従って、即ち、円環状スリットが深まるに従って、円筒形カッタの中心部から垂下した吊下部材が吊下孔内を下方に進む。そして、円筒形カッタの下端部が上下区画壁の下面寄り位置に到ったところで、吊下部材の下端部が吊下孔の下方に出現する。ここで、吊下部材の下端部には、下端係止部材が回動可能に連結され、その下端係止部材は、吊下部材から側方に張り出した張出状態と、その張出状態より側方への張り出し量が小さい待機状態とに変化可能になっている。また、待機状態か張出状態かに拘わらず下端係止部材のうち最も上方に位置した最上部が円筒形カッタの下端より下方に配置されるように吊下部材の長さが設定されている。これらにより、円筒形カッタの下端部が上下区画壁の下面寄り位置に到ったところで、下端係止部材全体が吊下孔の下方に出現し、その下端係止部材を待機状態から張出状態に変化させて、下端係止部材が円環状スリットの内側の円形除去建材を下方で待ち構えた状態にすることができる。そして、円形除去建材が円筒形カッタによって上下区画壁から切り離されたときに、その円形除去建材が下端係止部材にて下方から支持されて落下が防止される。このように、本発明の建造物穿孔装置では、円形除去建材を下端係止部材にて下方から支持するので、上下区画壁の内部構造に拘わらず、従来より確実に円形除去建材の落下を防止することが可能になる。また、本発明の構成によれば、円筒形カッタは、円筒壁の上端部から内側に張り出したカッタ上端壁の中心部に、上下方向に貫通した取付用雌螺子孔を設けた構造をなし、円筒形カッタの回転駆動源は、取付用雌螺子孔に螺合結合される回転雄螺子シャフトを垂下して備え、回転雄螺子シャフトの長手方向の途中に設けたカッタ位置決め段差部に、取付用雌螺子孔の上端開口縁を突き当てて、円筒形カッタを回転雄螺子シャフトに回り止めすると共に、回転雄螺子シャフトの一部がカッタ上端壁から垂下した状態となる。従来の建造物穿孔装置が存在する場合には、円筒形カッタ内で回転雄螺子シャフトに吊下部材を螺合装着することで、従来の建造物穿孔装置を本発明に係る建造物穿孔装置に容易に変更することができる。
【手続補正１３】
【補正対象書類名】明細書
【補正対象項目名】００１９
【補正方法】削除
【補正の内容】
【手続補正１４】
【補正対象書類名】明細書
【補正対象項目名】００２０
【補正方法】削除
【補正の内容】
【手続補正１５】
【補正対象書類名】明細書
【補正対象項目名】００２１
【補正方法】変更
【補正の内容】
【００２１】
［請求項３，４の発明］
下端係止部材を、その下端部を中心に回動し、起立して待機状態となる一方、倒れて張出状態になる構造にして吊下部材の下端部に複数設けてもよいし、請求項３の発明のように、下端係止部材は、張出状態で水平方向に延び、その長手方向の中心部を吊下部材の下端部に回動可能に連結した構造にしてもよい。この請求項３の発明によれば、下端係止部材の構造の簡素化が図られる。請求項３の構成とした場合、請求項４の発明によれば、下端係止部材が待機状態から回動する方向が一方向に限定され、常に、下端係止部材のうち滑止用凹凸部を備えた面を円形除去建材に当接させることができる。そして、滑止用凹凸部を円形除去建材に食い込ませて、円形除去建材を安定させることが可能になる。
【手続補正１６】
【補正対象書類名】明細書
【補正対象項目名】００２２
【補正方法】変更
【補正の内容】
【００２２】
［請求項５の発明］
請求項５の建造物穿孔装置によれば、円筒形カッタの下端部が上下区画壁の下面寄り位置に到ったところで、下端係止部材全体が吊下孔の下方に出現し、その下端係止部材が付勢手段の付勢によって自動的に待機状態から張出状態に変化する。
【手続補正１７】
【補正対象書類名】明細書
【補正対象項目名】００２３
【補正方法】変更
【補正の内容】
【００２３】
［請求項６の発明］
請求項６の建造物穿孔工法では、上下区画壁に予め吊下孔を貫通形成しておき、その吊下孔を中心にして円筒形カッタにて上下区画壁に円環状スリットを切削して行く。すると、円筒形カッタの下端部が上下区画壁内を下方に移動するに従って、円筒形カッタの中心部から垂下した吊下部材が吊下孔内を下方に進む。そして、円筒形カッタの下端部が上下区画壁の下面寄り位置に到ったところで、吊下部材の下端部に備えた下端係止部材が吊下孔の下方に出現するので、下端係止部材を待機状態から張出状態に変化させて、下端係止部材が円環状スリットの内側の円形除去建材を下方で待ち構えた状態にすることができる。そして、円形除去建材が円筒形カッタによって上下区画壁から切り離されたときに、その円形除去建材が下端係止部材にて下方から支持されて落下が防止される。このように、本発明の建造物穿孔装置では、円形除去建材を下端係止部材にて下方から支持するので、上下区画壁の内部構造に拘わらず、従来より確実に円形除去建材の落下を防止することが可能になる。
［請求項７の発明］
請求項７の建造物穿孔工法によれば、事前穿孔用円筒カッタと円筒形カッタと同じ回転駆動源に交換して取り付けて使用するので、回転駆動源の有効利用が図られる。また、事前穿孔用円筒カッタにて上下区画壁に小形円環溝を形成し、その小形円環溝に囲まれた小形円柱体の上端部に横向きの負荷を付与して下端部から折り、小形円環溝に挿入したフックにて小形円柱体を上方に抜き出してから、上下区画壁のうち小形円柱体の下方に残った残存壁を打ち抜いて吊下孔を穿孔するので、小形円柱体が上下区画壁の下方に落下することもない。
【手続補正１８】
【補正対象書類名】明細書
【補正対象項目名】００２４
【補正方法】変更
【補正の内容】
【００２４】
［請求項８の発明］
請求項８の建造物穿孔工法では、建造物穿孔装置のうち円筒形カッタを含む回転駆動部の回転中心を上下方向に貫通した吊下部材挿通孔を設けておき、上下区画壁のうち円環状スリットを切削する部分の中心に予め吊下孔を貫通形成し、建造物に固定された吊下支持ベースにて、吊下部材挿通孔の上方で吊下部材を支持して、その吊下部材を吊下部材挿通孔及び吊下孔に挿通すると共に、吊下部材の下端部に備えた下端係止部材を円形除去建材の下面に係止させた後で、円形除去建材を上下区画壁から切り離す。このように、本発明の建造物穿孔装置では、円形除去建材を下端係止部材にて下方から支持するので、上下区画壁の内部構造に拘わらず、従来より確実に円形除去建材の落下を防止することが可能になる。また、事前穿孔用円筒カッタと円筒形カッタと同じ回転駆動源に交換して取り付けて使用するので、回転駆動源の有効利用が図られる。また、事前穿孔用円筒カッタにて上下区画壁に小形円環溝を形成し、その小形円環溝に囲まれた小形円柱体の上端部に横向きの負荷を付与して下端部から折り、小形円環溝に挿入したフックにて小形円柱体を上方に抜き出してから、上下区画壁のうち小形円柱体の下方に残った残存壁を打ち抜いて吊下孔を穿孔するので、小形円柱体が上下区画壁の下方に落下することもない。
【手続補正１９】
【補正対象書類名】明細書
【補正対象項目名】００２５
【補正方法】削除
【補正の内容】
【手続補正２０】
【補正対象書類名】明細書
【補正対象項目名】００２６
【補正方法】変更
【補正の内容】
【００２６】
［請求項９の発明］
請求項９の構成によれば、待機状態か張出状態かに拘わらず下端係止部材のうち最も上方に位置した最上部が円筒形カッタの下端より下方に配置されるように吊下部材の長さを設定することで、従来の建造物穿孔装置を請求項１に記載の建造物穿孔装置に容易に変更することができる。なお、吊下部材の長さは、長さ調整機構によって調整可能であってもよいし、一定の長さに固定されていてもよい。
【手続補正２１】
【補正対象書類名】明細書
【補正対象項目名】００６３
【補正方法】削除
【補正の内容】
【手続補正２２】
【補正対象書類名】明細書
【補正対象項目名】００６４
【補正方法】変更
【補正の内容】
【００６４】
（８）前記第２実施形態では、下端係止部材６０はチェーン５０と共に吊下孔１０７を通過していたが、下端係止部材６０をチェーン５０から外した状態の吊下部材を吊下孔１０７に挿通させておき、吊下孔１０７の下方に抜けたチェーン５０に、水平方向の長さが吊下孔１０７の径よりも長い係止部材を回動不能に取り付けてもよい。
【手続補正２３】
【補正対象書類名】明細書
【補正対象項目名】００６５
【補正方法】変更
【補正の内容】
【００６５】
（９）円形除去建材１１１を待ち構える下端係止部材６０は水平姿勢に限定されることはなく、水平方向に対して若干傾斜した姿勢であってもよい。この場合であっても、円形除去建材１１１が下方に移動したときに下端係止部材６０の両端部を吊下孔１０７の下縁部に引っ掛けて、円形除去建材１１１の落下を防ぐことができる。
【手続補正２４】
【補正対象書類名】明細書
【補正対象項目名】００６６
【補正方法】変更
【補正の内容】
【００６６】
１０，１０Ｖ    建造物穿孔装置
１２    固定ベース
２１，２１Ｖ    回転駆動源
２１Ｋ，１２１Ｋ    吊下部材挿通孔
２２，１２２    回転出力軸
２５    回転雄螺旋シャフト
３０    円筒形カッタ
３０Ｖ    事前穿孔用円筒カッタ
３４    取付用雌螺旋孔
４０    吊下部材
４５    回転許容関節部
６０，６０Ｖ，６０Ｗ，９２    下端係止部材
６２    滑止突起（滑止用凹凸部）
８１    吊下部材挿通孔
８３    吊下ワイヤ
８７    吊下支持アーム
１００    上下区画壁
１０３    小形円環溝
１０５    小形円柱体
１０６    残存壁
１０７    吊下孔
１０８    円環状スリット
１１０    階層間貫通孔
１１１    円形除去建材
１４０    吊下アタッチメント